(57)【要約】【課題】本発明は、例えば、仮設足場の外周に取り付けられて工事の騒音が外部に漏れるの抑止する防音パネル付仮設足場に係り、台風等の強風が吹き付けるときに、その風の影響を避けるようにすることが課題である。【解決手段】仮設足場２０の外周部に取り付けられる防音パネル２が、該パネルの一端部を軸にして外側に略水平に傾倒するように前記仮設足場２０に開閉自在に取り付けられているようにした防音パネル付仮設足場１とする。【選択図】    図１
2004197441.tif 000002
【特許請求の範囲】
【請求項１】
仮設足場の外周部に取り付けられる防音パネルが、該パネルの一端部を軸にして外側に略水平に傾倒するように前記仮設足場に開閉自在に取り付けられていること、
を特徴とする防音パネル付仮設足場。
【請求項２】
防音パネルを開閉させる開閉装置は、仮設足場に取り付けられた上下方向における最上段の防音パネルから最下段の防音パネルに連通された索条と、該索条を巻き上げる巻上げ装置とから構成されていること、
を特徴とする請求項１に記載の防音パネル付仮設足場。
【請求項３】
防音パネルを開閉させる開閉装置は、仮設足場に取り付けられた上下方向における最上段の防音パネルに一端が繋着された索条と、該索条の他端を繋着させて巻き上げる巻上げ装置と、上下方向で隣接する防音パネル同士の外側に展開する他端部を互いに連結する連結部材とから構成されていること、
を特徴とする請求項１に記載の防音パネル付仮設足場。
【請求項４】
防音パネルは、上下方向の一列毎に開閉装置が設けられ、各列毎に開閉されるものであること、
を特徴とする請求項２または３に記載の防音パネル付仮設足場。
【発明の詳細な説明】
【０００１】
【発明の属する技術分野】
本発明は、仮設足場の外周に取り付けられて工事の騒音が外部に漏れるのを抑止する防音パネル付仮設足場に係り、詳しくは、台風等の強風が吹き付けるときに、その風の影響を避けるようにしたブラインド式の防音パネル付仮設足場に関する。
【０００２】
【従来の技術】
従来において、例えば、都市部における工事現場では、地盤の掘削工事の騒音や、建物の構築若しくは解体に伴う騒音等が、直接的に周囲に漏れて騒音公害とならないように、図６に示すように、仮設足場２０の外周に、防音パネル２１を装着しているのが、知られている。この防音パネル２１は、仮設足場のパイプに図７に示すような鬼クランプ２２で一枚ずつ固定するので、通常、仮設足場２０の解体時まで外されることはない。
【０００３】
（例えば、特許文献１参照。）。
【０００４】
【特許文献１】
特開平９−１９５５１８号公報（第１頁〜第４頁、第１図〜第３図）
【０００５】
【発明が解決しようとする課題】
しかしながら、前記防音パネル２１は、騒音公害を防止するものであるので、仮設足場２０の外周全体を被覆することになり、例えば、台風時の場合、強風により強い風圧力が前記防音パネルに加わり、足場の破壊等の被害を被ることがある。このような、強風時に、防音パネルを仮設足場から取り外すのは、作業員にとって危険な作業となる。また、防音パネルの取付を補強するのでは、壁繋ぎ部材を多数必要として、手間が掛かると共にコストが嵩むことになる。本発明に係る防音パネル付仮設足場は、このような課題を解決するために提案されたものである。
【０００６】
【課題を解決するための手段】
上記課題を解決するために、本発明に係る防音パネル付仮設足場の要旨は、仮設足場の外周部に取り付けられる防音パネルが、該パネルの一端部を軸にして外側に略水平に傾倒するように前記仮設足場に開閉自在に取り付けられていることである。
【０００７】
また、前記防音パネルを開閉させる開閉装置は、仮設足場に取り付けられた上下方向における最上段の防音パネルから最下段の防音パネルに連通された索条と、該索条を巻き上げる巻上げ装置とから構成されていること、；
更に、前記防音パネルを開閉させる開閉装置は、仮設足場に取り付けられた上下方向における最上段の防音パネルに一端が繋着された索条と、該索条の他端を繋着させて巻き上げる巻上げ装置と、上下方向で隣接する防音パネル同士の外側に展開する他端部を互いに連結する連結部材とから構成されていること、；
そして、前記防音パネルは、上下方向の一列毎に開閉装置が設けられ、各列毎に開閉されるものであること、；
を含むものである。
【０００８】
本発明に係る防音パネル付仮設足場によれば、台風が接近したときなどの強風時において、前記防音パネルを略水平に展開させ風圧力を減少させることで、強風の影響を押さえることができる。
【０００９】
また、防音パネルを開閉させて強風の影響を避けるようになるので、従来例における、強風時に備えて壁繋ぎ部材によって足場を補強したり、パネルを予め取り外したりするような必要が無くなる。防音パネルの開閉装置により、上下方向の一列のパネルを纏めて開閉させることができるようになる。更に、各列毎に開閉装置を設けることで、巻上げ装置も電動ウインチを使用できる程度の軽い負荷となり、コンパクトに装備することができる。
【００１０】
【発明の実施の形態】
次に、本発明に係る防音パネル付仮設足場１について、図面を参照して説明する。図１（Ａ），（Ｂ）に示すように、仮設足場２０の外周部に取り付けられる防音パネル２が、該パネル２の一端部（下部）を軸２ａにして、外側に略水平に傾倒するように、前記仮設足場２０のパイプに開閉自在に取り付けられている。
【００１１】
前記防音パネル２を傾倒させる手段としては、第１実施例に係る防音パネル２を開閉させる開閉装置３が、仮設足場２０に取り付けられた上下方向における最上段の防音パネル２から最下段の防音パネル２に連通された索条４と、該索条４を巻き上げる巻上げ装置５とから構成されている。
【００１２】
図２に示すように、矩形状のパネル枠２ｂに前記軸２ａで回転自在に防音パネル２が２枚設けられている。パネル枠２ｂは、一例として、横幅が、９００ｍｍ、１２００ｍｍ、１５００ｍｍ、１８００ｍｍであり、縦の高さが約８５０ｍｍ（門型足場２０の約半分の高さ）である。
【００１３】
前記パネル枠２ｂは、上下接合縁部が合じゃくりになっていて、各パネル枠２ｂを上下方向に継ぎ足していくものである。そして、仮設足場２０には、図４に示すように、鬼クランプ２２（図７参照）にて固定されるものである。前記索条４は、上下方向に一列に配設された複数の防音パネル２に対して、その左右端部に一対にして上下方向に連続して設けられる。この索条４は、例えば、ステンレスワイヤーであり、防音パネル２の下部から上部へと引き回され、更に上部の防音パネル２の下部へと引き回される。
【００１４】
前記索条４の下端部４ａは、図１に示すように、一番下の仮設足場２０の一部等に固定される。よって、例えば、図１（Ｂ）に示す展開状態から、索条４を上方に巻き上げると、上方の防音パネル２から順番に、若しくはほぼ同時に一列の防音パネル２が閉じるものである。また、逆に、図１（Ａ）の防音パネル２が閉じた状態から、前記索条４を巻上げ装置５から繰り出していくと、同図（Ｂ）に示すように、各防音パネル２が外側に展開して略水平に開くものである。
【００１５】
なお、図３に示すように、防音パネル２の開閉に伴って、パネル枠２ｂとの当接で騒音が生じないように、防音パネル２の先端部には、ゴム製のパッキン２ｃが設けられている。また、防音パネル２が略水平状態で止まるように、前記軸２ａの部分でストッパー（図示せず）を設けておくか、または、パネル枠２ｂ側に回転止めの位置決めストッパー（図示せず）を設けるようにするものである。
【００１６】
こうして、台風等が接近してきたときに、作業員を仮設足場２０から待避させて、各列毎の前記巻上げ装置５をリモートコントロールなどで操作して繰り出し方向に回転させ、索条４を各々繰り出して弛め、それにより、各列のパネル２を次々と水平方向に展開させる。これにより、仮設足場２０の外周面全体に開口部が出現し、強風の影響が抑制されるものである。
【００１７】
第２実施例に係る防音パネル付仮設足場１ａは、図５に示すように、パネル枠２ｂに、防音パネル６を回転自在に設けるが、その方法は、該パネル６の一端部（上端部）を軸部とするものである。よって、通常、防音パネル６は、その自重で回転して上下方向にしてパネル枠２ｂに収まっている。そして、上下方向に隣接する防音パネル６，６において、外側に展開する他端部である、上側の防音パネル６の先端部と、下側の防音パネル６の先端部とが、連結部材である索条４ｃによって互いに連結されている。
【００１８】
更に、前記防音パネル６を開閉させる開閉装置は、仮設足場２０に取り付けられた上下方向における最上段の防音パネル６に一端が繋着された索条４ｂと、該索条４ｂの他端を繋着させて巻き上げる、第１実施例と同様の巻上げ装置５とから構成されている。パネル枠２ｂは、第１実施例と同様であって、仮設足場２０に対する固定方法も同様である。
【００１９】
このような第２実施例によれば、通常は、防音パネル６が上下方向に平行に配設されていて、防音効果を奏する状態となっている。そして、台風が接近したなら、リモートコントロール等により巻上げ装置５を巻き上げ方向に駆動させて、索条４ｂを巻き上げる。すると、最上段の防音パネル６が、その上部を中心にして、その下部が外側に回転され、略水平に展開される。
【００２０】
それと同時に、連結部材である索条４ｃにより、下方の各防音パネル６が一斉に水平に展開されるのである。これを、各列の巻上げ装置５によって、防音パネル６を水平に展開させる。こうして、強風の影響を抑制することができるものである。
【００２１】
強風が収まった後、巻上げ装置５を索条４ｂの繰り出し方向に回転させることで、各防音パネル６がその自重によりパネル上部を中心に回転して上下方向に平行になってパネル枠２ｂに収まり、仮設足場２０の外周が全面的に閉じられて防音効果を奏するようになる。
【００２２】
その他の実施例として、図示しないが、防音パネル６を機械的な連結バーにより、上下方向に移動する前記連結バーに各防音パネル６毎に設けたＬ型係合部材の一端部を係合させて、略９０度回転させるようにして、同様な目的を達成させることができるものであり、上記実施例に限定されるものではない。防音パネルを上下方向から水平方向に回転させる機構は、公知の機械的手段・電気的手段を応用していかようにでも実現できるものであり、要は、パネル枠２ｂに防音パネル２又は防音パネル６を回転自在に設けるようにして、その防音パネルを略水平状態にすることで、強風の影響を抑制することが可能となれば良いのである。
【００２３】
【発明の効果】
上記説明したように、本発明に係る防音パネル付仮設足場は、仮設足場の外周部に取り付けられる防音パネルが、該パネルの一端部を軸にして外側に略水平に傾倒するように前記仮設足場のパイプに開閉自在に取り付けられているので、強風時には、防音パネルを略水平にすることで風圧の影響を解消させることができると言う優れた効果を奏するものである。
【００２４】
前記防音パネルを開閉させる開閉装置は、仮設足場に取り付けられた上下方向における最上段の防音パネルから最下段の防音パネルに連通された索条と、該索条を巻き上げる巻上げ装置とから構成されていることで、上記目的を達成することができる。また、前記防音パネルを開閉させる開閉装置は、仮設足場に取り付けられた上下方向における最上段の防音パネルに一端が繋着された索条と、該索条の他端を繋着させて巻き上げる巻上げ装置と、上下方向で隣接する防音パネル同士の外側に展開する他端部を互いに連結する連結部材とから構成されていることによっても同様の作用効果を奏するものである。
更に、防音パネルは、上下方向の一列毎に開閉装置が設けられ、各列毎に開閉されるものであることで、装置全体が大形に成らず、コンパクトにして仮設足場に取り付けやすくなるものである。
【図面の簡単な説明】
【図１】本発明の第１実施例に係る防音パネル付仮設足場１の、側面から見た通常時と強風時との使用状態説明図（Ａ），（Ｂ）である。
【図２】同防音パネル付仮設足場１の一部拡大斜視図である。
【図３】同本発明に係る防音パネル付仮設足場１における、防音パネル２の傾倒の様子を示す説明図である。
【図４】同仮設足場２０に防音パネル２を取り付けた状態の説明図である。
【図５】同本発明に係る第２実施例の一部拡大側面図である。
【図６】従来例に係る防音パネル付仮設足場の説明図である。
【図７】鬼クランプ２２の正面図（Ａ）、側面図（Ｂ）、底面図（Ｃ）である。
【符号の説明】
１          防音パネル付仮設足場、  ２          防音パネル、
２ａ        軸、                    ２ｂ        パネル枠、
２ｃ        ゴムパッキン、          ３          開閉装置、
４          索条、                  ４ａ        下端部、
４ｂ，４ｃ  索条、                  ５          巻上げ装置、
６          防音パネル、
２０        仮設足場、              ２１        防音パネル、
２２        鬼クランプ。
【図１】
2004197441.tif 000003
【図２】
2004197441.tif 000004
【図３】
2004197441.tif 000005
【図４】
2004197441.tif 000006
【図５】
2004197441.tif 000007
【図６】
2004197441.tif 000008
【図７】
2004197441.tif 000009